(57)【要約】【課題】水道水の磁気活性化を図るため、取扱い簡単で誰でも使用でき、廉価に提供できる磁気活水化装置を提供する。【解決手段】水道管に対応する凹部を有する挟持部と他の挟持部により水道管を挟持する本体を形成し、各挟持部に本体中心線方向に磁石を対向設置させると共に、各挟持部一端にその両端を着脱自在に固定する固定部を設ける。【選択図】図１
2004209419.tif 000002
【特許請求の範囲】
【請求項１】
水道管に対応する凹部を有する挟持部と他の挟持部により水道管を挟持する本体を形成し、各挟持部に本体中心線方向に磁石を対向設置させると共に、各挟持部一端にその両端を着脱自在に固定する固定部を設けたことを特徴とする磁気活水化装置。
【請求項２】
本体一側面に、本体中心線方向に、各挟持部に突片を設けると共に、本体他側面に本体中心線方向と直交する線方向に嵌合孔を設けたことを特徴とする請求項１に記載の磁気活水化装置。
【発明の詳細な説明】
【０００１】
【発明の属する技術分野】本発明は、水道水の磁気活性化を図るための取扱い簡単な磁気活水化装置を提案せんとするものである。
【０００２】
【従来の技術】従来水道水は、溶存成分に対する物理的、化学的処理が通常実施されて供給されている。
例えば、細菌やウイルスに対する濾過や殺菌、就中塩素殺菌、懸濁物に対する分離、除去、酸やアルカリに対する中和、溶存成分に対する吸着、イオン交換、生物化学的処理等がある。
これらの処理は水道水にとって必然的な処理である。
【０００３】
一方、最近の研究による水の誘電体の性質を利用した水分子構成に変化を与える磁気発生手段を用い、水分子、所謂クラスターを小さくし、水分子に対するエネルギー特性を高め、学説的に説かれる波動エネルギーや共鳴振動の活発化により、細胞への浸透性を高める磁気活水方式が提案されている。（特開平１０−１１３６６６、特開平１１−２６７６５３、特開２００２−０６６５６６）。
然して、後者の所謂磁気活水方式は、水道水を美味しく且つ健康にとって良き作用を有する水にするためのものである。
【０００４】
【特許文献１】特開平１０−１１３６６６公報
【特許文献２】特開平１１−２６７６５３公報
【特許文献３】特開２００２−０６６５６６公報
【０００５】
【発明が解決しようとする課題】
従来の磁気活水方式のために使用されている装置は、何れも水の流れる管に対し、磁気エレメントを設置するものであるが、特開平１１−２６７６５３は容器内の水を高速回転させ、その容器の外にＳ極を容器内側に向けて設置する構成であり、特開平１０−１１３６６６はカートリッジ内部に磁石を設け、磁化された面が水の流れの方向と平行になるように設けるものである。特開２００２−０６６５６６は４段の磁石ホルダーセットを第１段と第３段を時計回り、第２段と第４段を反時計回りに磁力線が発生するように構成し、且つ隣接する段の磁石のＳ極とＮ極により水流方向に略平行な磁力線を発生させる構成である。
このため、その構成上、設置作業は誰でも行えるというものではなく、専門的知識を有するものが作業を行う必要があり、その設置作業に難点がある。又、その構成は複雑であり、その製造も困難であり、コストも高い。
【０００６】
【課題を解決するための手段】そこで本発明に於いては、極めて簡単な構成に形成して誰でも容易に取扱いが出来、その設置も極めて簡単で、家庭等に入る水道管に設置でき、家庭に供給される水道水、場合により井戸水でも供給管に設置し、磁気活性化することが出来る装置を極めて手軽にコスト安く提供する他、水道管外側に容易に着脱できるので，交換が簡単で磁力の弱った磁石の取替え等容易に出来、メンテナンスも必要なく、半永久的に使用せんとするもので、水道管に対応する凹部を有する挟持部と他の挟持部により水道管を挟持する本体を形成し、各挟持部に本体中心線方向に磁石を対向設置させると共に、各挟持部一端にその両端を着脱自在に固定する固定部を設けたことを特徴とする。
【０００７】
【発明の実施の形態】以下、図に示す一実施例により本発明を詳細に説明する。
１は本体で、水道管２を挟持する透孔３を中央に形成してある。該本体１は、一端を連接乃至軸支４した挟持片１１と同１２により形成されるのが便である。挟持片１１、同１２の他端は、適宜長さ突出させ突出部１３，１４を形成させてある。
本体１の挟持片１１と同１２の凹部３１と同３２により前記透孔３を形成させてある。本体１にはその凹部３１と同３２に面して磁石５，５のホルダー孔６，６を互いに対向する方向に穿接して設けてある。挟持片１１と同１２はその凹部３１と同３２に連接して互いの合接面１５，１６を平面状に形成してあるが、この合接面１５，１６は合接することは必ずしも必要ではない。従って、この合接面１５，１６は突出部１３，１４と同一平面を共有するのが通常であるが、それに拘る必要はない。ホルダー孔６，６、従って磁石５，５は対向させ、その中心線は同一線を通るのが好ましい。然も、該磁石５，５はホルダー孔６，６に逆方向に挿通設置してあり、従ってその対向面はＳ極とＮ極が位置せしめられている。然し、米国特許第３９４７５３３号の波動エネルギーの理論に従う場合は、Ｓ極を対向させる構造となる。又、挟持片１１と同１２の凹部３１、３２の側縁に等高の突片１７，１７，…を突設させ、且つ根元に切込み１８，１８，…を入れて切欠き自在としてある。該突片１７，１７，…の切欠き、残存の選択により、透孔３の径の大小を選択し、水道管２の径に対応して密着可能にしたものである。
【０００８】
１９は保持部材で、凹部３１、３２に前面或いは部分的に設置し、本体１と水道管２の固定の確保をするものでも材質はゴム、皮革等のパッキングに適する有弾性材が適当で、接着剤により固定しておくのがよい。
２０は挟持片１１，１２に必要に応じて形成される空洞部で、本体１の軽量化のために適宜形に形成されるのがよい。
２１はキャップで、突出部１３，１４を合わせて嵌め込み、挟持片１１，１２を固定し、本体１の水道管２への固定を確保させる。
このキャップ２１としては、突出部１３，１４を固定できる形状であればよく、例えば一方の突出部１３より鍵型片を突出させ、他方の突出部１４に係架固定させる構造、或いはコ字状枠を両突出部１３，１４に跨座させる構造等適宜の形状が選択できる。
【０００９】
２２は突片で、本体１の１側面に、２３は嵌合孔で、本体１の他側面に夫々２個設置してある。突片２２，２２は磁石５と対向する磁石５の中心線に対し、４５度の線分上に設置し、該線分と嵌合孔２３，２３を結ぶ線分は直交させて設置させる。
【００１０】
【実施例】次いで、その使用方法について説明する。
まず、その一個の本体１を使用する場合は、その挟持片１１，１２ホルダー孔６，６に夫々磁石５，５を挿入し、接着等により固定する。この際、磁石５，５の対向面がＳ極とＮ極が対峙するように設置する。次いで、水道管２の管径或いは設置場所の管径に対応して突片１７，１７，…の切欠き、残存を定め、水道管２の所望位置の挟持片１１の凹部３１を当て、他方の挟持片１２を軸４等により回動させて水道管２に被せ、両挟持片１１，１２により水道管２を挟持する。次いで、本体１より突出する突出部１３，１４を合わせてキャップ２１を嵌め、本体１を固定する。この際、保持部材１９により、本体１と水道管２の掴持がより確実に為される。
【００１１】
この本体１の設置により、磁石５，５は水道管２を挟んで、Ｓ極とＮ極が対峙する型となる。このため、水道管２を流れる水に対し、磁力線が直交することになり、磁気エネルギーを印加することになる。
この水に対する磁気エネルギーの印加が水にどのように作用するのか幾つかの学説があるが、判明していることは、水は単なる水素原子２個と酸素原子１個とからの分子の集合体ではなく、一定の集団を形成しており、磁気エネルギーがこの水の集団、クラスターを振動摩擦することにより、細分化する働きを有することである。この細分化により、活性化され、運動エネルギーが上昇する。
【００１２】
本発明者の考察によれば、運動エネルギーが上昇したクラスターは互いの分子運動摩擦により、電子のスピンが発生し、水分子の振動が活発化する。
発生した電子ｅ−は配管内部の錆コブに徐々に付着し、赤錆ＦｅＯ（ＯＨ）を黒錆へと還元反応させる。
還元反応した配管内部は黒錆の硬い皮膜を形成し、腐食の進行を防ぐことにより配管を保護する。
新しい配管の場合、錆は配管内部にて鉄が酸化することにより生じるので、鉄が酸素と反応する際の鉄の電子の移動を防ぐことにより、腐食を防ぐ。
磁石５，５が電子を供給し続けると、鉄の電子は移動しなくなるので、効果的に配管内部の腐食を防ぐことが出来る。
この水自体の磁化による活性化により、水道水を美味しく且つ水道管２の浄化作用により、水道水に浸透性、溶解性を付与することが出来ることになった。
【００１３】
又、上記の如き本体１を連接使用する場合を説明する。
上記により水道管２に対し、本体１を設置した後、該本体１に対し、接するように次の本体１を設置する。設置方法は前記と同じであるが、設置済の本体１に対し、設置しようとする本体１を前記本体１に寄せて行き、側面の突起２２，２２を前の本体２の嵌合孔２３，２３に嵌合させて設置させる。
【００１４】
この設置により、前の本体１の磁石と磁石による磁力線と、後の本体１の磁石と磁石により形成される磁力線とが９０度位置を替えて水道管２に流れる水に対して、磁力エネルギーを付与することになる。これによって流水に対し、均一な高いエネルギーを与え、磁力活性を活発化させるものである。
【００１５】
【発明の効果】上記の如き請求項１の本発明によれば、水道管に対応する凹部を有する挟持部と他の挟持部により水道管を挟持する本体を形成し、各挟持部に本体中心線方向に磁石を対向設置させると共に、各挟持部一端にその両端を着脱自在に固定する固定部を設けたので、構造が簡単で、水道管への取り付けが簡単で、誰でも取扱いでき、メンテナンス手数もかからず、磁石の効果のある限り、長時間使用できる等実用効果大である。
【００１６】
又、磁気活性により得られた水は、単に飲んで美味しいばかりでなく、還元性に優れ、配管の腐食対策が出来、配管の保護が行える。又、浸透性、溶解性、流動性にすぐれ、水洗いの手荒れ、風呂水の汚れ減少、細胞の活性化等健康上有益である。
【００１７】
又、請求項２の発明によれば、本体一側面に、本体中心線方向に、各挟持部に突片を設けると共に、本体他側面に本体中心線方向と直交する線方向に嵌合孔を設けたので、請求項１の効果に加えて、２つの本体が簡単に位置決めされ、正確に磁力線が水に対して９０度位相を替えて設置でき、流れる水に対する磁気エネルギーの印加がより平均的に均一に行われ、磁気活性をよりよくすることが出来る。
【図面の簡単な説明】
【図１】本発明１実施例の一側分解斜面説明図
【図２】本発明１実施例の他側分解斜面説明図
【図３】同上使用状態説明斜面図
【図４】同上使用状態斜面図
【図５】同上他実施例使用状態斜面図
【符号の説明】
１  本体
１１  挟持片
１２  挟持片
２  水道管
２２  突片
２３  嵌合孔
３  透孔
４  軸支
５  磁石
６  ホルダー孔
【図１】
2004209419.tif 000003
【図２】
2004209419.tif 000004
【図３】
2004209419.tif 000005
【図４】
2004209419.tif 000006
【図５】
2004209419.tif 000007